(57)【特許請求の範囲】
【請求項１】
複数の動翼列が取り付けられたロータと複数の静翼列が取り付けられたケーシングとによって環状流路を形成する軸流圧縮機において、
前記環状流路の最終段動翼列の下流側に、静翼列を２翼列以上有し、
該静翼列の内、最も上流側に設けられた第１の静翼列の翼負荷が、前記第１の静翼列の一列下流側に設けられた第２の静翼列の翼負荷よりも小さくなるよう設定されていることを特徴とする軸流圧縮機。
【請求項２】
請求項１に記載の軸流圧縮機において、
前記最終段動翼列の下流側に、前記静翼列を３翼列以上有し、
前記環状流路の流れ方向について最も下流側に設けられた第３の静翼列の翼負荷が、前記第１の静翼列の翼負荷よりも小さくなるよう設定されていることを特徴とする軸流圧縮機。
【請求項３】
請求項２に記載の軸流圧縮機において、
前記第３の静翼列の翼負荷を基準として、
前記第１の静翼列の翼負荷が１.３倍以下となるよう設定し、
前記第２の静翼列の翼負荷が、前記第１の静翼列の翼負荷よりも大きく、且つ、１.３〜１.６倍となるように設定したことを特徴とする軸流圧縮機。
【請求項４】
請求項２に記載の軸流圧縮機において、
前記最終段動翼と前記第１の静翼列との間から圧縮空気を抽気する内周抽気スリットを備えたことを特徴とする軸流圧縮機。
【請求項５】
圧縮空気と燃料を混合して燃焼させて燃焼ガスを生成する燃焼器と、前記燃焼ガスにより回転させられるタービンと、前記タービンの回転動力によって駆動される軸流圧縮機及び負荷機器とを備えたガスタービンシステムにおいて、
前記軸流圧縮機の最終段動翼列の下流側に静翼列を３翼列以上有し、
該静翼列のうち、最も上流側に設けられた第１の静翼列の翼負荷が、最も下流側に設けられた第３の静翼列の翼負荷よりも大きくなるよう設定され、
前記第１の静翼列の一列下流側に設けられた第２の静翼列の翼負荷が、前記第１の静翼列の翼負荷よりも大きくなるよう設定されている
ことを特徴とするガスタービンシステム。
【請求項６】
請求項５に記載のガスタービンシステムであって、
前記タービンは、それぞれ異なる軸を有する高圧タービンと低圧タービンとを備えた
ことを特徴とするガスタービンシステム。
【請求項７】
複数の動翼列が取り付けられたロータと、複数の静翼列が取り付けられたケーシングとによって環状流路を形成し、前記環状流路の最終段動翼列の下流側に静翼列を３翼列以上有する軸流圧縮機における、前記最終段動翼列の下流側に設けられた前記静翼列の負荷の分配方法であって、
最下流に設けられた第３の静翼列の負荷を基準として、前記最終段動翼列の１列下流側に設けられた第１の静翼列の翼負荷が１.３倍以下となるよう設定し、第１の静翼列の一列下流側に設けられた第２の静翼列の翼負荷を前記第１の静翼列の翼負荷よりも大きく、且つ、１.３〜１.６倍となるように設定することを特徴とする負荷の分配方法。
【請求項８】
作動流体の流れ方向について最も下流側に設けられた最終段動翼列の下流側に、静翼列を２翼列以上有する軸流圧縮機の改造方法であって、
前記静翼列のうち、最も上流側に設けられた第１の静翼列は翼重心を中心に取付角度が大きくなるように回転させ、
前記第１の静翼列の一列下流側に設けられた第２の静翼列については翼前縁側と翼後縁側を圧力面側に曲げてキャンバ角を大きくする
ことを特徴とする静翼列の改造方法。
【請求項９】
請求項８に記載の静翼列の改造方法において、
前記第１の静翼列の取付角度を大きくなるよう回転させたことによる前記第１の静翼列における作動流体の転向角の減少分と、前記第２の静翼列の翼前縁側と翼後縁側を圧力面側に曲げてキャンバ角を大きくしたことによる転向角の増加分とを等しくする
ことを特徴とする静翼列の改造方法。
【発明の詳細な説明】
【技術分野】
【０００１】
本発明は、ガスタービン用あるいは産業用の軸流圧縮機に関するものであり、特に軸流圧縮機の後段側に位置する静翼列に関する。
【背景技術】
【０００２】
図３に、多段の軸流圧縮機の模式図を示す。圧縮機１は、複数の動翼列３１が取り付けられた回転するロータ２２と、複数の静翼列３４を取り付けたケーシング２１から構成され、内部にはロータ２２とケーシング２１より環状流路が形成されている。動翼列３１と静翼列３４は軸方向に交互に配列されており、それぞれ１つの動翼列と静翼列とで１つの段を構成している。初段動翼列の上流側には、吸込み流量を制御するための入口案内翼３３（ＩＧＶ：Inlet Guide Vane）が設けられている。また、最終段動翼列３２の下流側には、静翼列である最終段静翼列３５及び出口案内翼（ＥＧＶ：Exit Guide Vane）３６，３７が設けられている。なお、図３では出口案内翼が軸方向に２翼列設けられた構成を示す。
【０００３】
軸流圧縮機の流入空気はこの環状流路を通過しながら、各翼列により減速，圧縮されて高温高圧の気流になる。各翼列の圧力上昇（翼列負荷に相当）は翼列の設定角度や運転状態等により決定される。当然、翼列負荷が最も厳しくなる運転状態においても、翼列の空力性能と信頼性を確保する必要がある。
【０００４】
特許文献１には、各段の静翼を独立可変翼として制御して、各段の負荷を平均化する圧縮機の負荷制御システムが公開されている。しかし、軸流圧縮機の後段側に位置する静翼列の負荷分布については開示されていない。
【先行技術文献】
【特許文献】
【０００５】
【特許文献１】特開２００２−６１５９４号公報
【発明の概要】
【発明が解決しようとする課題】
【０００６】
例えば、ＩＧＶを閉じた状態で圧縮機を運転する場合、圧縮機の後段側の翼列負荷が上昇し、最終段静翼列およびその下流側のＥＧＶの負荷も上昇する。また、最終段静翼列の上流側の内周抽気スリットから圧縮空気を多量に抽気した場合、最終段静翼列の内周側の軸流速度が低減することで軸方向に対する流れの角度（流入角）が局所的に大きくなるため、最終段静翼列の翼負荷が増大する可能性がある。
【０００７】
翼負荷の増加に伴い、翼面で流れの剥離が発生する可能性が増加する。このような剥離現象は翼振動の増大を招く恐れがあり、翼列の性能や信頼性に悪影響を及ぼす。そのため、圧縮機の後段側に設けられた静翼列の負荷を適切に設定することが、圧縮機全体の信頼性や空力性能の観点から重要となる。
【０００８】
そこで、本発明の目的は、信頼性を向上した軸流圧縮機を提供することにある。
【課題を解決するための手段】
【０００９】
上記目的を達成するために、本発明の軸流圧縮機は、複数の動翼列が取り付けられたロータと複数の静翼列が取り付けられたケーシングとによって環状流路を形成し、前記環状流路の流れ方向について最も下流側に設けられた前記動翼列である最終段動翼列の下流側に、前記静翼列を２翼列以上有し、前記最終段動翼列の下流側に設けられた前記静翼列において、最も上流側に設けられた第１の静翼列の翼負荷が、前記第１の静翼列の一列下流側に設けられた第２の静翼列の翼負荷よりも小さくなるよう設定することを特徴とする。
【発明の効果】
【００１０】
本発明によれば、信頼性を向上した軸流圧縮機を提供することができる。
【図面の簡単な説明】
【００１１】
【図１（ａ）】一般的な後段静翼列の翼負荷分布図。
【図１（ｂ）】本発明の実施形態の後段静翼列の翼負荷分布図。
【図２】本発明の実施形態の一つであるガスタービンのシステム概略図。
【図３】軸流圧縮機の子午面断面図。
【図４】軸流圧縮機の後段静翼列のスパン方向断面図。
【図５】最終段静翼列のスパン方向断面図と、それに対応した流入角−全圧損失特性図。
【図６】本発明の実施形態の一つである最終段静翼列の流入角−全圧損失特性図。
【図７】本発明の実施形態の一つである後段静翼列の翼負荷分布の比率。
【図８】本発明の実施形態の一つである後段静翼列のスパン方向断面図。
【図９】本発明の実施形態の一つであるガスタービン運転負荷範囲の拡大効果。
【図１０】本発明の実施形態の一つである２軸式ガスタービンのシステム概略図。
【図１１（ａ）】本発明の実施形態の後段静翼列の他の翼負荷分布図。
【図１１（ｂ）】本発明の実施形態の後段静翼列の更に他の翼負荷分布図。
【発明を実施するための形態】
【００１２】
例えば、タービンと圧縮機が１つの軸で構成される１軸式ガスタービンの運転には、ガスタービンの燃焼温度を定格状態に保持し、圧縮機のＩＧＶ３３を閉じることでガスタービンの運用負荷領域を拡大する運転方法がある。また、タービン側が高圧タービンと低圧タービンとで分かれ、回転軸が別軸構成となっている２軸式ガスタービンの部分負荷運転では、高圧タービンの出力と圧縮機動力をバランスさせるために、圧縮機のＩＧＶ３３を通常より閉じた運転が必要となる。このような運転では圧縮機の後段側の翼列負荷が上昇し、翼面で剥離が発生する可能性がある。そのため、信頼性及び空力性能の低下が懸念される。
【００１３】
図２に本発明の実施例の一つであるガスタービンシステムの概略図を示す。以下、図２を用いてガスタービンシステムの構成について説明する。
【００１４】
図２に示すガスタービンシステムは、空気１１を圧縮して圧縮空気１２を生成する圧縮機１と、圧縮空気１２と燃料１３を混合して燃焼させる燃焼器２と、高温の燃焼ガスにより回転駆動するタービン３から構成されている。圧縮機１とタービン３は回転軸５を介して負荷機器である発電機４と接続されている。なお、ここでは１軸式のガスタービンを想定して説明を行うが、図１０に示すような、タービン側が高圧タービン３ａと低圧タービン３ｂとで別軸構成となっている２軸式ガスタービンについても同様のことが言える。
【００１５】
次に、作動流体の流れについて説明する。作動流体である空気１１は圧縮機１へ流入し、圧縮機１で圧縮された後に圧縮空気１２として燃焼器２に流入する。燃焼器２で圧縮空気１２は燃料１３と混合・燃焼され、高温燃焼ガス１４が生成される。燃焼ガス１４はタービン３を回転させた後、排気ガス１５として系外部へ放出される。発電機４は、圧縮機１とタービン３とを連通する回転軸５を通じて伝えられたタービンの回転動力により駆動される。
【００１６】
圧縮機１の後段からは、圧縮空気の一部がタービンロータ冷却空気１６（およびシール空気）として抽気され、ガスタービンの内周側流路を介してタービン側へ供給される。この冷却空気１６は、タービンロータを冷却しながら、タービンの高温燃焼ガス流路へ導かれる。なお、冷却空気１６はタービンの高温燃焼ガス流路からタービンロータ内部へ高温ガスの漏れこみを抑制する働きも有しており、シール空気の役割も兼ねている。
【００１７】
次に、図３を用いて、圧縮機の内部構造について説明する。圧縮機１は、複数の動翼列３１が取り付けられた回転するロータ２２と、複数の静翼列３４を取り付けたケーシング２１から構成され、ロータ２２とケーシング２１より環状流路が形成されている。動翼列３１と静翼列３４は軸方向に交互に配列しており、１つの段はそれぞれ１つの動翼列と静翼列とで構成される。動翼列３１の上流側には、吸込み流量を制御するための入口案内翼（ＩＧＶ）３３が設けられている。また、前段側静翼列はガスタービン起動時の旋回失速を抑制するために可変機構を備えている。なお、図３では可変機構を備えた静翼列はＩＧＶ３３と静翼列３４だけとしたが、可変静翼列を更に複数段備えている場合もある。
【００１８】
環状流路の流れ方向について最も下流側に設けられた動翼列である最終段動翼列３２の下流側には、上流側から順に、最終段静翼列３５及び出口案内翼（ＥＧＶ）３６，３７という静翼列が３翼列設けられている。ＥＧＶは、環状流路内の動翼列が作動流体に与えた旋回速度成分を軸流速度成分に転向させる目的で設置された静翼列である。ＥＧＶ３７を出た圧縮空気１２を減速させて燃焼器へ導入するために、圧縮機の下流側にはディフューザ２３が設置されている。なお、図３では出口案内翼が軸方向に２段構成の場合を示すが、ＥＧＶが１翼列であっても、それ以上であっても構わない。また、最終段動翼列３２の下流側，最終段静翼列３５の上流側の内周には、タービンロータ冷却空気１６を抽気するために内周抽気スリット２４が設けられている。
【００１９】
圧縮機の環状流路内に流入する空気１１は、動翼列の回転により流体の運動エネルギーが増加され、静翼列で減速されて運動エネルギーを圧力エネルギーに変換させることで昇圧される。作動空気は動翼列により旋回速度が与えられるため、圧縮機の最終段静翼３５への流れは軸流方向に対して約５０〜６０degの流入角で流入する。一方、空力性能向上のためには、圧縮機出口に位置するディフューザ２３へ流入する流れは、流入角ゼロ（軸流速度成分のみ）にすることが望ましい。即ち、最終段静翼３５と出口案内翼３６，３７から構成される静翼列で約６０degから０degまで流れを転向させることが空力性能向上のために重要となる。
【００２０】
図４を用いて、図３のＡ−Ａ断面で示す静翼列断面の流れ場について説明する。簡単のため、以降は第一の静翼列である最終段静翼列３５を静翼列Ｉ、第２の静翼列であるＥＧＶ３６を静翼列II、第３の静翼列であるＥＧＶ３７を静翼列IIIと称して説明を行う。静翼列Ｉから静翼列IIIはそれぞれ複数枚の翼が周方向についてあるピッチ長さでケーシングに取り付けられている。本図では、あるスパン方向断面について周方向に２枚の翼列だけを示し、その他の翼は省略してある。
【００２１】
静翼列Ｉに流入角βIで流入した流れは、静翼列Ｉで流れが転向され、流出角βIIで流出する。流出した流れは、流入角βIIで静翼列IIに導入される。静翼列IIでも流れは転向され、静翼列IIの流出角βIIIで静翼列IIIに導入される。静翼列IIIで流れは軸方向に転向され、最終的に軸流速度成分でディフューザへ導入される。
【００２２】
このような流れ場において、静翼列の負荷は、流入角と流出角の差である転向角によって定義される。即ち、転向角が大きいほど翼負荷が増大し、翼列で発生する損失も大きくなる。反対に、転向角が小さいほど翼負荷は小さくなり、損失も小さい。静翼列Ｉから静翼列IIIまでの全体の転向角は静翼列IIIの流出角がゼロであるので、最終段動翼列３２の流出角で決定され、この最終段動翼列の流出角は圧縮機の運転状態によって異なる。圧縮機の高性能化のためには、静翼列Ｉから静翼列IIIの負荷分布を適切に設定することが重要となる。
【００２３】
ここで、圧縮機の高効率化を優先した場合の、静翼列Ｉから静翼列IIIの負荷分布を図１（ａ）に示す。図１（ａ）では静翼列Ｉが最も負荷が大きく、静翼列II，IIIと、下流側になるにつれて、負荷が順次下がるように設定されている。また、静翼列IIIからの流出角を軸流方向にするため、翼列の取付角度（軸方向から翼コード長の傾き角度）は静翼列Ｉで大きく、静翼列IIIで小さくなる。なお、静翼列IIおよび静翼列IIIのような取付角度を小さくした翼列ほど、流入角が大きくなった際に、図５に示すような、翼列の負圧面側における流れの剥離が発生しやすくなる。
【００２４】
剥離が発生すると、流体励振による翼列の信頼性の低下や空力性能の低下が生じる。特に、下流側の静翼列で剥離が生じた場合、剥離した流れがディフューザへ流入する等の理由から、更なる性能低下が生じる恐れがある。従って、圧縮機を高効率化させるためには、静翼列II，静翼列IIIになるにつれて転向角を小さくし、翼負荷を低減させて剥離を抑制できる図１（ａ）のような負荷配分が良いと考えられる。
【００２５】
次に、ガスタービンシステムに用いた場合を例に、圧縮機の運転状態について説明する。
【００２６】
ガスタービンは定格運転のみならず起動時や部分負荷時の性能および信頼性を確保する必要がある。ガスタービンの部分負荷特性を向上させることでガスタービンの運用負荷領域を拡大することは、夜間など電力がそれ程必要でないときの運転上のメリットが大きい。タービンと圧縮機とが同一軸で構成される１軸式ガスタービンでは、運用負荷領域を拡大させるために、燃焼温度を定格温度に保持した状態でＩＧＶ開度の開閉により圧縮機吸込流量を変化させ、ガスタービン出力を制御する方法がある。
【００２７】
このような運転において、ＩＧＶ３３を閉じた場合、下流側になるほど流れの軸流方向の速度成分が小さくなり、周方向の速度成分の比率が高まる。そのため、静翼に対する流入角は増大し、圧縮機の後段翼列の負荷が増加することとなる。特に、最終段動翼列の流出角が流入角となる静翼列Ｉは、流入角の変動が顕著であり、負荷の増大が懸念される。また、大気温度が低い場合には、この部分負荷運転時の後段翼列の負荷増加が更に顕著となる。翼負荷の上限までのマージンが無くなり、翼負荷が限界ラインに達すると、翼列は剥離により流体励振されて、その翼列振動応力が許容応力値以上になると翼列が損傷する可能性が高くなる。
【００２８】
図３で示したように、圧縮機前段側に可変機構を備えた翼列が複数段ある場合、通常ＩＧＶ３３と連動して可変静翼列３４（ａ）も開閉されるため、ＩＧＶ３３を閉じた部分負荷運転時には可変静翼列３４（ａ）も閉じられる。したがって、可変静翼列３４（ａ）が設けられた段では段仕事が低減し、負荷が低減することとなる。しかし、圧縮機全体の圧力比自体は変わらないため、前段側の翼負荷の低減分に応じて、後段翼列の負荷が更に増大する結果となる。なお、環状流路の後段側では側壁境界層が発達しているため、側壁部分では軸流速度が低下し、その影響で静翼列の側壁部では流入角が大きくなり主流部に比べて負荷が増大する。これにより後段側翼列の側壁部では前段側の翼列より剥離しやすい状態となる。
【００２９】
図１０に示すような、タービンが高圧タービン３ａと低圧タービン３ｂの別軸構成となっている２軸式ガスタービンの部分負荷運転では、高圧タービン３ａの出力と圧縮機動力をバランスさせるために、ＩＧＶ３３を閉じて吸込流量を低減させて圧縮機動力を小さくし、高圧タービン３ａでは圧力比を高めにさせて出力を大きくする必要がある。このようなＩＧＶ３３および可変静翼列３４（ａ）が閉じられた運転では、前述の通り圧縮機後段側の翼列の負荷が増加するため、翼列の信頼性および性能を確保することが課題となる。
【００３０】
また、圧縮機の入口で多量の水噴霧によりガスタービンの出力および効率向上させるようなガスタービンシステムにおいても、圧縮機の前段側の翼列負荷が低減し、後段側の翼列負荷が増加する傾向となる。圧縮機の前段側では水分が蒸発することで作動流体の流量が増加する効果が、作動流体の温度低下による修正回転数が増加する効果に比べて大きいため、軸方向の速度成分が水噴霧以前よりも増加する。したがって、静翼列に対する流入角の増大が抑制され、負荷の増大が抑制される。一方、圧縮機全体の圧力比自体は変わらないので、前段側翼列の負荷低減分は後段側翼列の負荷増加によって補うこととなる。また、後段翼列では水分が蒸発することによる作動流体の流量が増加する効果に比べて、作動流体の温度低下による修正回転数が増加する効果が大きくなるため、後段翼列の流入角が増加して翼負荷が増加する。したがって、ＩＧＶを閉じた運転と同様、翼列の信頼性および性能を確保することが課題となる。
【００３１】
更に、最終段静翼列（静翼列Ｉ）の上流側には、圧縮機の内周側にタービンロータ冷却空気１６を抽気する内周抽気スリット２４がある。内周抽気スリット２４で多量の抽気量を取り出した場合、抽気によって静翼列Ｉの内周側の軸流速度が低減する。そのため、静翼列Ｉの内周側において流入角が大きくなり翼負圧面側で失速して大きく剥離する可能性がある。図３の静翼列Ｉのようにケーシングに取り付けられた片持ち支持の静翼では、特に内周側で剥離が発生すると翼列は流体励振され、バフェッティングや失速フラッタといった流体振動により翼列を損傷する恐れがある。
【００３２】
図５に、効率を優先した静翼列Ｉのスパン方向断面図と、翼へ流入する空気の流入角−全圧損失特性曲線４１を示す。図５を用いて、静翼列Ｉの翼負荷増加の問題について説明する。
【００３３】
静翼列Ｉはガスタービン定格運転の流入角βdにおいて性能が最大で、かつ起動から定格といった様々な運転範囲においてチョーク側βcとストール側βsからなる作動領域４３を十分に確保できるように設計される。流入角βdで静翼列Ｉに流入した流れは翼負圧面側に沿って減速され、静翼列IIへ導入される。
【００３４】
しかし、ガスタービンの部分負荷運転や、低大気温度下での運転，内周抽気量の増加，圧力比の増加などによって静翼列Ｉに対する流入角は大きくなる。そして、ストール側の限界流入角βs以上で静翼列Ｉに流入した流れは、静翼列Ｉの入射角（インシデンス）が大きくなり、負圧面側で剥離するため静翼列Ｉは失速する。このような剥離現象は、翼列の性能や信頼性に悪影響を及ぼすため、翼面での剥離を抑制するために静翼列Ｉの作動領域４３の拡大が必要である。そのためにも静翼列Ｉから静翼列IIIの翼負荷配分の適正化を図ることが重要となる。
【００３５】
図１（ｂ）に本実施例の静翼列Ｉから静翼列IIIの翼負荷分布を示す。図１（ａ）と図１（ｂ）の違いは、静翼列Ｉの負荷を静翼列IIの負荷よりも小さく設定している点である。また、静翼列IIIの負荷を静翼列Ｉの負荷よりも小さく設定している点である。
【００３６】
本実施例による静翼列Ｉの負荷を小さく設定した効果について、図６を用いて説明する。図６は、静翼列Ｉに流入する空気の流入角−全圧損失特性図であり、点線の特性曲線４１は図５と同一である。静翼列Ｉの翼負荷を低減させると、流入角−全圧損失特性曲線４２のように、流入角に対するチョーク限界およびストール限界を増加させることができる。特にストール側の限界の流入角βsを拡大させることが可能となり、翼列の作動領域４３が拡大できる。更には、静翼列Ｉの翼負荷軽減前の損失と比較して、損失を低減することができ、高効率化も図れる。
【００３７】
このように静翼列Ｉの翼負荷を軽減して作動領域を拡大することで、翼負荷軽減前には静翼列Ｉに対して悪影響を及ぼすような流れを生じさせていた運転条件になったとしても、翼負荷の限界ライン以下で翼列を作動させることができる。即ち、静翼列Ｉのインシデンスをインシデンス限界以下にすることで翼負圧面での剥離を抑制でき、静翼列Ｉの信頼性の向上を図ることができる。
【００３８】
なお、図１（ｂ）のような負荷分布にした場合、静翼列Ｉの負荷の低減量に応じて静翼列IIの負荷が増加する。しかし、静翼列IIは上流には静翼列Ｉが設けられているため、静翼列IIでは静翼列Ｉよりも運転状態の変化による流入角の増大の影響が小さく、内周抽気等による局所的なインシデンスの増大もないため、流入角が安定している。また、下流側に静翼列IIIがあるので、静翼列IIにおける翼面での剥離は直接的にディフューザへ影響を及ぼさない。そのため、図１（ｂ）の負荷分布を適用することで、ガスタービン性能および静翼列の信頼性を両立させることができる。
【００３９】
また、静翼列IIIの負荷は図１（ａ）から変更していない。静翼列Ｉの負荷を下げて、その負荷低減量を静翼列IIIでも負荷分配した場合、静翼列IIIの負荷増加に伴い、負圧面側で流れの剥離を引き起こす可能性がある。静翼列IIIは流出角をゼロにするために取付角度を軸流方向としている。そのため、流入角が大きくなるほど静翼列Ｉまたは静翼列IIに比べて、静翼列IIIは翼面での剥離が発生しやすい。静翼列IIIでの剥離は、翼の信頼性の問題だけではなく、その剥離した流れは下流側のディフューザへ流入するので、ディフューザ性能の低下に繋がる。さらに、ディフューザ性能低下は、燃焼器への圧損の増加に繋がり、ガスタービン性能低下に大きく影響を及ぼす恐れがあるため、静翼列IIIの負荷は増加させないことが望ましい。
【００４０】
図７に示す静翼列Ｉから静翼列IIIの負荷配分の比率を用いて、図１（ａ）と図１（ｂ）で示した静翼列Ｉの負荷低減割合の具体例を示す。
【００４１】
静翼列IIIの翼負荷を基準として、静翼列Ｉの負荷は１.０〜１.３倍、静翼列IIの負荷は１.３〜１.６倍にすることで、静翼列Ｉの作動領域を拡大でき、翼列の信頼性を確保することができる。静翼列Ｉの負荷を下げ過ぎると、反対に静翼列IIの負荷が増加し、静翼列IIの翼面で剥離する可能性がある。この剥離があまりに大きい場合、静翼列IIIの翼負圧面でも剥離が発生する恐れがある。したがって、静翼列IIの負荷増加は、静翼列IIIの負荷に対して１.３〜１.６倍の範囲内とし、静翼列IIで大きな剥離が発生しないように負荷を設定することが望ましい。
【００４２】
次に、図８を用いて、翼負荷を低減する方法の一例を説明する。図８は、静翼列Ｉから静翼列IIIのスパン方向断面図である。通常、ガスタービンの運転領域を考慮して圧縮機翼列は広い作動範囲を確保できるように設計される。しかし、特殊な運転を行うことで、静翼列Ｉの流入角が大きくなり、空気の静翼列Ｉへのインシデンスが増大する可能性がある。このような場合、静翼列Ｉの信頼性を確保するために翼負荷を低減させる方法が必要となる。図８では、改造前の静翼列３５，３６を点線、改造後の静翼列５１，５２を実線で示している。
【００４３】
静翼列Ｉは、翼重心を中心に取付角度が大きくなるように回転７１させる。翼を回転７１させることで、静翼列Ｉの流入角が運転状態に応じて一定なのに対し、流出角を大きくすることができる。そのため、転向角を小さくすることができ、静翼列Ｉの翼負荷を低減できる。また、静翼列Ｉを回転７１させて取付角度を大きくすることで、空気の静翼列Ｉへのインシデンスが小さくなる。そのため、ストール側の作動領域を拡大することができ、翼負圧面側の剥離を抑制が可能となる。
【００４４】
しかし、静翼列Ｉの取付角度を大きくすると、流出角が大きくなり、静翼列IIの流入角が大きくなる。この流入角の増大に対し、静翼列Ｉと同様に静翼列IIの取付角度を変更した場合、静翼列IIIへの流入角が大きくなり、結果的に静翼列IIIの翼負荷が増大してしまう。しかし、前述したように、静翼IIIは流出角をゼロにする必要があり、翼列負荷も小さいほうが望ましい。
【００４５】
そこで、静翼列IIは翼前縁側と翼後縁側を圧力面側に曲げて７２キャンバ角を大きくさせる。このように曲げることで、静翼列IIにおける転向角を増加させることができる。すなわち、流入角の増加に起因する静翼列IIのインシデンスの増大を緩和させ、かつ流出角を一定に保つことができる。このような翼形状にすることで、静翼列IIへの流入角の増加に対してインシデンスを適正に保つことができる。更に、静翼列Ｉにおける転向角の減少分を静翼IIの転向角の増加分で補うことにより、静翼列IIの流出角を一定に保持することができるため、静翼列IIIおよびディフューザに悪影響を及ぼすことはない。
【００４６】
図８に示した改造による、ガスタービンの運転範囲への効果について、図９を用いて説明する。図９では、一軸式ガスタービンを例としており、ガスタービン負荷に対するＩＧＶ開度変化と燃焼温度の特性を示している。また、ＩＧＶ開度を変化させることで燃焼温度一定で出力変化できる領域をガスタービンの運用負荷領域としている。
【００４７】
改良前では燃焼温度一定でＩＧＶを閉じていくと、あるＩＧＶ開度６１で圧縮機後段側の翼列負荷が増大し、特に静翼列Ｉで負荷限界ラインに到達したときが低負荷側の限界となる。図９では運用負荷Ｉで示している。ここで、図８のように改良することで、静翼列Ｉの負荷限界ラインまでのマージンが拡大するため、ＩＧＶを閉じる限界６２も拡大できる。そのため、ガスタービンの運用負荷領域も運用負荷Ｉから運用負荷IIまで拡大させることが可能となる。
【００４８】
次に、図１１を用いて、静翼列が３列以上存在する場合について説明する。図１１は最終段動翼列よりも下流側に静翼列が４列設けられている場合における、各静翼列の負荷分布を示している。
【００４９】
図１１（ａ），（ｂ）は静翼列が３列の場合と同様、最終段動翼列の下流側に設けられた静翼列において最も上流側に設けられている静翼Ｉの翼負荷を、その一列下流側に設けられた静翼列IIの翼負荷よりも小さくなるように設定している。また、最も下流側に設けられた静翼列IIIの翼負荷が静翼Ｉの翼負荷よりも小さくなるように設定されていることも同様である。
【００５０】
図１１の（ａ）と（ｂ）との違いは、静翼IIと静翼IIIとの間に設けられている静翼II′の翼負荷の設定である。図１１（ａ）のように負荷を設定した場合、静翼IIに加えて静翼II′においても負荷を大きく分担することができる。そのため、静翼Ｉの翼負荷を更に小さく設定することが可能となり、軸流圧縮機の信頼性をより大きく向上させることができる。
【００５１】
また、図１１（ａ）のように負荷を設定した場合であれば、静翼IIで負荷を大きく持つことで静翼Ｉの負荷を低減でき、信頼性を向上させることができる。また、静翼IIから静翼IIIに向うにつれて、翼負荷が下がっていくような負荷分布となるように静翼II′の翼負荷を設定することで、ディフューザへの渦流の流入等が抑制できる。そのため、空力性能を良好に保つことができ、高い効率を達成できる。
【００５２】
このように、前述のような負荷分布を採用することで、１軸式および２軸式ガスタービンの部分負荷運転などのＩＧＶを閉じた運転における圧縮機の後段側の静翼列の負荷増加に対して、最終段静翼列の翼負荷が限界ラインに達することを抑制できるため、翼列の信頼性を向上させることができる。これにより、信頼性の向上した軸流圧縮機を提供することが可能となる。また、最終段静翼の上流側にタービンロータ冷却用空気を抽気する内周抽気スリットが存在する場合においても、信頼性を向上することができる。
【００５３】
更に、圧縮機後段側の静翼列の負荷配分を適正化して増大させた翼負荷の限界ラインまでのマージン生かすことで、ＩＧＶ開度の変化量を拡大できる。したがって、圧縮機吸込流量をより幅広く制御可能となり、ガスタービンの部分負荷における運用範囲を拡大することができる。また、同様に、内周抽気スリットからの抽気量を増加させることも可能である。
【産業上の利用可能性】
【００５４】
ガスタービン用軸流圧縮機以外に、産業用の軸流圧縮機においても適用可能である。
【符号の説明】
【００５５】
１  圧縮機
２  燃焼器
３  タービン
４  発電機
５  回転軸
１１  空気
１２  圧縮空気
１３  燃料
２１  ケーシング
２２  ロータ
２３  ディフューザ
２４  内周抽気スリット
３１  動翼列
３２  最終段動翼列
３３  入口案内翼（ＩＧＶ）
３４  静翼列
３５  最終段静翼列
３６，３７  出口案内翼（ＥＧＶ）
４１  効率を優先した静翼列Ｉの流入角−全圧損失特性曲線
４２  本実施例の静翼列Ｉの流入角−全圧損失特性曲線
４３  翼列作動範囲
５１  静翼列Ｉの改良翼列
５２  静翼列IIの改良翼列
【図１（ａ）】
0005202597.tif 000002
【図１（ｂ）】
0005202597.tif 000003
【図２】
0005202597.tif 000004
【図３】
0005202597.tif 000005
【図４】
0005202597.tif 000006
【図５】
0005202597.tif 000007
【図６】
0005202597.tif 000008
【図７】
0005202597.tif 000009
【図８】
0005202597.tif 000010
【図９】
0005202597.tif 000011
【図１０】
0005202597.tif 000012
【図１１（ａ）】
0005202597.tif 000013
【図１１（ｂ）】
0005202597.tif 000014